(57)【要約】【課題】  洗濯槽の裏側に発生するマイコバクテリウム属などの微生物やカビなどに対して優れた抑制効果を持続的に発揮する洗濯槽用洗浄剤を提供すること。【解決手段】  抗菌能力を持つ銀錯体化合物、並びに微生物が作り出すバイオフィルムなどに対抗するために油脂分解能力を持つ微生物もしくは微生物産生物を含有してなる洗濯槽用洗浄剤。【選択図】  なし【特許請求の範囲】
【請求項１】
銀錯体化合物と、油脂分解能力を持つ微生物もしくは微生物産生物を含有してなり、持続的に効果を発揮し続ける洗濯槽用洗浄剤。
【請求項２】
一般的な洗濯機で３０回以上持続的に効果を発揮し続ける、請求項１に記載の洗濯槽用洗浄剤。
【請求項３】
銀錯体化合物が銀及びカフェインで構成される、請求項１〜２のいずれかに記載の洗濯槽用洗浄剤。
【請求項４】
油脂分解能力を持つ微生物が、受領番号ＦＥＲＭ  Ｐ−２１１６２の、バチルス・プミルス属に属する微生物であることを特徴とする、請求項１〜３のいずれかに記載の洗濯槽用洗浄剤。
【請求項５】
請求項１〜４のいずれか記載の洗濯槽用洗浄剤を用いる洗濯槽の洗浄方法。
【発明の詳細な説明】
【技術分野】
【０００１】
本発明は、洗濯槽用の洗浄剤に関し、詳しくは洗濯槽に発生した微生物やカビに対して持続的に優れた抑制効果を有する洗濯槽用洗浄剤に関する。
【背景技術】
【０００２】
洗濯槽の裏側等に発生する汚れは、カビ、酵母、細菌等の微生物および洗剤由来成分、糸くず、皮脂等の衣類由来成分などからなり、洗濯機から出る悪臭の原因となるとともに、遊離した汚れが洗濯中に衣類を汚染するなどの不具合の原因ともなるものである。
【０００３】
近年、この洗濯槽裏側の汚れや悪臭は、マイコバクテリウム属に属する微生物によるものであるという発見がなされた。マイコバクテリウム属に属する微生物は水中などに存在しており、自身のコロニーをロウ状のワックス成分で作られたバイオフィルムで覆うことが知られている。この強固なフィルム部分があるため、抗菌剤などが効きにくい厄介な微生物である。
【０００４】
洗濯槽裏側の汚れは、特に全自動洗濯機ではその構造上、汚れが付着している状況を直接観察することができず、また、汚れが付着している部分には、洗濯機を分解しない限り直接触れることができないため、汚れ除去は容易ではなく、大変な労力を必要とする。そこで、洗濯機槽用の洗浄剤として、主に酸素系または塩素系漂白剤を配合した組成が提案されている。
【０００５】
漂白剤を用いた例としては、過炭酸ナトリウムや次亜塩素酸ナトリウム及び塩素化シアヌル酸を用いた洗濯槽の洗浄方法が知られている（例えば、特許文献１、２参照）。この方法はある程度、殺菌殺カビ効果があるがバイオフィルムに阻まれると効果を十分には発揮できない。
【０００６】
また、漂白剤を用いる洗浄方法は、洗浄のたびに漂白剤を投入しなければならず、持続的に効果を発揮するものではない。
【０００７】
水中で長期的に微生物抑制効果を持たせる例として、銀などの金属イオンとカフェインの錯体を粘土鉱物内に導入させたものを用いる方法がある（特許文献３）。この方法では持続的に微生物抑制機能を持つ銀錯体を水中に放出し、水中や水回りの微生物の繁殖を抑制できるが、これもバイオフィルムに阻まれると効果を十分には発揮できない。
【先行技術文献】
【特許文献】
【０００８】
【特許文献１】特開平９−２３５５９５号公報
【特許文献２】特開昭５９−７１３９９号公報
【特許文献３】特開２００９-２４２３３７号公報
【発明の概要】
【発明が解決しようとする課題】
【０００９】
従って本発明の課題は、洗濯槽の裏側に発生する汚れ、特にマイコバクテリウム属の微生物とその微生物が作り出すバイオフィルムに対して優れた抑制効果を持続的に発揮する洗濯槽用洗浄剤を提供することである。
【課題を解決するための手段】
【００１０】
本発明者らは、上記事情に鑑み、マイコバクテリウム属に対する抑制効果の高い洗浄剤を得るべく鋭意研究を行ったところ、銀錯体化合物を導入した担体と油脂分解能力を持つ微生物を組み合わせることにより、バイオフィルムを有する微生物に対する抑制効果を持続的に発揮する洗浄剤が得られることを見出し本発明に至った。
【００１１】
すなわち本発明は、銀錯体化合物含有担体と油脂分解能力を持つ微生物を含有してなる洗濯槽用洗浄剤である。
【発明の効果】
【００１２】
本発明によれば、銀錯体化合物含有担体から徐々に放出される銀錯体化合物と、油脂分解能力を持つ微生物により洗濯槽の裏側に発生する微生物を持続的に抑制することができ、これにより微生物による汚れが付着しにくくなる効果がある。
【００１３】
したがって、本発明は、持続的に洗濯槽の裏側の微生物や汚れ、悪臭を抑制するものであり、洗濯槽の洗浄頻度を軽減することができるものである。
【発明を実施するための形態】
【００１４】
本発明の洗濯槽用洗浄剤は、銀錯体化合物含有担体と油脂分解能力を持つ微生物を含有するものである。
【００１５】
本発明において用いられる銀錯体化合物の配位子としては、カフェイン、イミダゾール、ヒノキチオール等が挙げられ、特にカフェインを用いることが好ましい。
【００１６】
本発明において用いられる銀錯体化合物の担体としては、ゼオライト、バーミキュライト、モンロリロナイト、珪藻土、パーライト、多孔質シリカ等が挙げられる。担体には粒径1〜15mmの物を用いることができ、3〜5mm程度の物を用いるのが好ましい。
【００１７】
本発明において用いられる油脂分解能力を持つ微生物としては、セレウス種などの人体に害のあるものを除くバチルス属が挙げられる。バチルス属は芽胞状態になることにより長期的な保存が効き、固体の洗浄剤として用いるのに適している。
【００１８】
本発明において用いられる油脂分解能力を持つ微生物は担体に含浸し、乾燥させることにより、芽胞状態にしたものを用いる。担体としては、ゼオライト、バーミキュライト、モンロリロナイト、珪藻土、パーライト、多孔質シリカ等が挙げられる。担体には粒径1〜15mmの物を用いることができ、1〜5mm程度の物を用いるのが好ましい。
【００１９】
また、前記の微生物としては、バチルス・プミルス（Ｂａｃｉｌｌｕｃ  ｐｕｍｉｌｕｓ）属に属するグラム陽性有芽胞桿菌（独立行政法人  産業技術総合研究所  特
許生物寄託センター  に寄託して平成１９年１月２２日に受領された受領番号ＦＥＲＭ Ｐ−２１１６２を有する微生物）を用いることもできる。この微生物は油脂分解能力と抗カビ能力を持ち合わせており、今回の目的に適している。
【００２０】
前記の通りに構成された洗濯槽用洗浄剤は徐放される銀錯体と微生物によって長期的に効果を発揮することが可能となる。
【００２１】
従来、銀を用いた洗濯槽洗浄剤と、微生物を用いた洗濯槽洗浄剤は存在していた。しかし、前者は抗菌剤、後者は微生物であり、微生物を殺す抗菌剤を微生物と共に用いることは通常考え辛いものであった。また、実際に本発明の組み合わせ以外で抗菌剤と微生物を同時に使用すれば抗菌剤が微生物を殺してその効果を失わせ、抗菌剤もそれにより能力を消耗してしまう。このため両者を混合した商品はこれまで存在しなかった。
【００２２】
しかし、本発明の洗浄剤は抗菌素材と微生物を混合しているがお互いを打ち消すことなく効果を発揮している。標準寒天培地上に洗浄剤を配置すると含有微生物が繁殖しコロニーを形成する上に、マイコバクテリウムを塗布した寒天培地に対して阻止試験を行うとコロニー周辺にマイコバクテリウムの繁殖を阻止する地帯が現れる。これは含有微生物成分だけでは成しえないことであり、メカニズムは不明であるが二つの素材の相乗効果によってもたらされたものだと思われる。
【００２３】
本発明の洗濯槽用洗浄剤は洗濯槽内部に取り付けることによって効果を発揮する。この時、不織布やネット、プラスチックケースなどの容器に封入して使用してもよい。洗濯槽用洗浄剤を設置した状態で通常の洗濯やすすぎを行うことで有効成分が徐々に放出され、効果を発揮する。
【００２４】
本発明の洗濯槽用洗浄剤は洗濯槽内部のごみ取りネットや洗剤入れ等に入れる他、直接水面に浮かべて使用してもよい。
【００２５】
本発明の洗濯槽用洗浄剤は標準的な洗濯機(容量６〜８kg)で標準的コースを用いた使用をした場合、３０回以上の持続的使用が可能となる。
【００２６】
このように設置及び使用された洗濯槽用洗浄剤は洗濯槽内部の微生物を抑制するだけでなく、部屋干し臭の抑制も可能となる。これは溶出した銀錯体が部屋干し臭の原因となるモラクセラ属等に対して抗菌作用を持つからである。
【００２７】
これにより、本発明の洗濯槽用洗浄剤は洗濯槽の汚れや悪臭を長期的に抑えるだけでなく、部屋干し臭の抑制も行う優れた効果を持つ。
【実施例】
【００２８】
次に実施例を挙げ、本発明を更に詳しく説明するが、本発明はこれら実施例に何ら制約されるものではない。
【００２９】
（実施例１）
硝酸銀水溶液と無水カフェインを混合し、作成した銀カフェイン錯体溶液を、粒状ゼオライトに含浸後乾燥させ、銀カフェインゼオライトを得た。また、バチルス・プミルス属の微生物株（ＦＥＲＭ Ｐ−２１１６２）を培養した培養液を同様に粒状ゼオライトに含浸後乾燥させ、微生物含有ゼオライトを得た。この二種類のゼオライトを混合することで洗浄剤１を作成した。得られた洗浄剤１について、下記方法でその性能を試験した。
【００３０】
（性能試験）
（１）マイコバクテリウム抗菌試験
試験菌として、マイコバクテリウム・パルヴェリス（Mycobacterium pulveris）ＪＣＭ  ６３７０株を用い、以下のようにして抗菌試験を行った。
【００３１】
試験に用いたR寒天培地の組成は、ペプトン 1%、酵母エキス 0.5%、カザミノ酸 0.5%、肉エキス  0.2%、麦芽エキス  0.5%、グリセロール 0.2%、Tween80 0.005%、硫酸マグネシウム7水和物 0.1%、寒天1.5%である。
【００３２】
試験菌をR寒天培地全面に接種したものを用意した。この寒天培地の中央に検体を0.2ｇ配置し、滅菌した水を100μLを加え湿らせたものを処理区とした。検体として、前記の銀カフェインゼオライト、微生物含有ゼオライト、洗浄剤１を用いた。また何も配置しなかったものを対照区とした。この検体をそれぞれ36℃で１週間培養した。結果を表１に示す。
【００３３】
【表１】
2018002869.tif 000002
【００３４】
表１に示されるように銀カフェインゼオライト、微生物含有ゼオライト、洗浄剤１はマイコバクテリウムに対して何らかの阻止効果を見せた。銀カフェインゼオライトを用いた処理区は通常の微生物阻止試験で見られるような阻止円を観察した。微生物含有ゼオライトを用いた処理区は含有していた微生物が培地上で繁殖しコロニーを形成し、それはマイコバクテリウムのコロニーと混じりあうことはなかった。洗浄剤１を用いた処理区では上記のこの二つの結果を混ぜただけものではなく、微生物コロニーの周辺に阻止帯が現れるという想定外の相乗効果を見せた。メカニズムは不明だが洗浄剤１は銀錯体と微生物の双方の能力の相乗効果を発揮して、マイコバクテリウムに対して強い抗菌効果を見せた。
【００３５】
（２）マイコバクテリウム抗菌試験２
試験菌(マイコバクテリウム・パルヴェリス（Mycobacterium pulveris）ＪＣＭ  ６３７０株)をＲ寒天培地全面に摂取して2週間36℃で培養したものを用意した。この寒天培地の中央に検体0.2gを配置したものを処理区とした。検体としては銀カフェインゼオライト、微生物含有ゼオライト、洗浄剤１を用いた。この状態で36℃30日培養して、変化を観察した。
【００３６】
すでに検体配置前にすでに発生していたマイコバクテリウム属のコロニー自体に目視での変化はなかった。しかし、生菌のみを染色し観察できるＣＴＣ蛍光染色を行い、検体周辺のコロニーに含まれる菌体が生菌かどうかの観察を行うと検体ごとの明確な違いが現れた。銀カフェインゼオライトの周辺では生菌が多く、特にバイオフィルム片内部には多くの生菌が観察された。微生物含有ゼオライトでも生菌が多く見られた。しかし洗浄剤１周辺のコロニーでは生菌は観察されなかった。観察結果から推測すると、微生物の効果でバイオフィルムが破壊され、そこに銀カフェイン錯体の効果で制菌されたものと思われる。
【００３７】
本発明の洗濯槽洗浄剤は、マイコバクテリウム属の微生物に対して優れた制菌作用を有す
るものであった。
【００３８】
（３）バイオフィルム分解試験
R培地にて2週間培養したマイコバクテリウム・パルヴェリスのコロニーを滅菌したスパーテルにて削り取り、これをシャーレに薄く均一に塗布し乾燥させることでマイコバクテリウムのバイオフィルムを得た。ここに銀カフェインゼオライト、微生物含有ゼオライト、洗浄剤１を重量の10倍量の精製水に一晩浸漬して得られた浸漬水を10μl滴下した。このままシャーレを密閉し30℃環境で1日放置した後に、シャーレに水を注いで軽く揺すって洗い、バイオフィルムがどのように変化するかを確認した。この結果を表２に示す。
【００３９】
【表２】
2018002869.tif 000003
【００４０】
表２に示すように精製水のみや銀カフェインゼオライトを用いたものにはフィルムに影響が見られなかった。しかし微生物含有ゼオライト及び洗浄剤１ではフィルムが完全に分解され洗い流された。これにより微生物を用いることによりバイオフィルムに対して影響を及ぼすこと、そしてこれを銀と同時に用いても効果を妨げることがないことがわかった。
【００４１】
（４）効果維持試験
洗濯槽内部に実際に洗濯槽洗浄剤を設置し、実際に一定日数使用後に取り出し、前記のマイコバクテリウム抗菌試験と同様の試験を行い、性能を確認した。この結果を表３に示す
【００４２】
試験に用いた洗濯機はHITACHI製BW-8SV(容量８kg)とPanasonic製NA-VA2500L(3kg)を用いた。これを家族３人の家庭で標準コースで１日１回使用した。
【００４３】
【表３】
2018002869.tif 000004
【００４４】
表３に示すように30日経過後も抗菌能力は維持されていた。これにより30回以上の長期的な使用が可能であることがわかった。
【００４５】
（５）モラクセラ抗菌試験
試験菌としてモラクセラ・オスロエンシス（Moraxella osloensis）ＮＣＩＭＢ  １０６９３株を用い、以下のようにして抗菌試験を行った。この菌株は特開２０１２−８８２９７において挙げられている部屋干し臭の原因菌の一つである。
【００４６】
試験菌を標準寒天培地全面に接種したものを用意した。この寒天培地の中央に検体を0.2ｇ配置し、滅菌した水を100μL加え湿らせたものを処理区とした。検体として、前記の銀カフェインゼオライト、微生物含有ゼオライト、洗浄剤１を用いた。また何も配置しなかったものを対照区とした。この検体をそれぞれ36℃で１週間培養した。結果を表４に示す。
【００４７】
【表４】
2018002869.tif 000005
【００４８】
表４に示されるように銀カフェインゼオライト、洗浄剤１はモラクセラ属に対して何らかの阻止効果を見せた。どちらも微生物阻止試験で見られるような阻止円を観察した。このことによりモラクセラ属に対しても抗菌効果が得られることがわかった。
【産業上の利用可能性】
【００４９】
本発明によれば、洗濯槽の裏側に発生する汚れを抑制することができ、特に洗濯槽汚れの主原因であるマイコバクテリウム属の微生物に対して優れた抑制を奏するものである。さらに本発明の洗浄剤は持続的に効果を発揮し、長期的に微生物による汚れを防ぐことが可能である。また部屋干し臭の原因菌の繁殖も抑え、発生を抑制することが可能である。
【００５０】
したがって、本発明は、洗濯槽の裏側の汚れ等の除去と共に、制菌を持続的に行うことができる洗濯槽用洗浄剤として、利用可能なものである